(57)【要約】【課題】幼児、老人、精神障害者等の対象者が音楽を聴いたときに、自らの感情を表現でき、しかも関心を持つことで主体的に訓練に参加するようになり、効果的に心身の機能を十分に発揮させるための音楽療法による訓練ができるような運動機能開発用具を提供する。【解決手段】多数の細径の棒状体２を互に交差結着して形成した球体１の内方に鈴４を配置し、該鈴４を前記球状に形成した周囲の棒状体２との間で糸又は針金５により連結支持して構成されている。【選択図】図２
0003118438.tif 000002
【実用新案登録請求の範囲】
【請求項１】
多数の細径の棒状体を互に交差結着して球状に形成した球体の内方に鈴を配置し、該鈴を前記棒状体に糸又は針金により連結支持したことを特徴とする運動機能開発用具。
【請求項２】
多数の細径の棒状体を互に交差結着して球状に形成した球体の内部に、多数の細径の棒状体を互に交差結着して球状に形成した小球体を１或いは複数個収容し、該小球体の内部に鈴を収容したことを特徴とする運動機能開発用具。
【請求項３】
前記球体の外部に把手を付けた請求項１又は請求項２に記載の運動機能開発用具。
【請求項４】
前記球体の外周を和紙により図柄を施して構成した請求項１又は請求項２に記載の運動機能開発用具。
【考案の詳細な説明】
【技術分野】
【０００１】
本考案は、幼児、老人、精神障害者等の対象者が心身の機能を十分に発揮させるための各種の訓練に最適な運動機能開発用具に関するものである。
【背景技術】
【０００２】
精神障害者等の運動機能開発を目的とした音楽療法が近年注目されるようになり、各種の研究会なども開催されるようになっている。かかる音楽療法は、運動用具を用いた単調な繰り返し動作による運動療法と比較して、音楽を通して対象者に関心を引き寄せ、これにより動作を伴う訓練もたやすく受け入れることができるようになることから、訓練の集中力を高め、効果的な運動機能開発の成果を上げるものとして期待されている。
【０００３】
このための運動機能開発用具としては、各種の訓練に適したものであって、大掛りなものとならず、軽量で虚弱な対象者でも容易に扱うことができ、同時に主体的に興味を注がれるようなものが望ましい。
【０００４】
この種の用具として、外形を合成樹脂材料を用いてフルーツの形状とし、内部に硬球を入れて振って音を出すリズム楽器の例がある（特許文献１参照。）。
【特許文献１】実用新案登録第３０２９２３６号公報
【考案の開示】
【考案が解決しようとする課題】
【０００５】
しかし、前記特許文献１の考案を障害者等の運動機能開発用具として使用するのは、外形が合成樹脂であるため、固く、手に馴じみにくい。
【０００６】
また、長期間使用することで一定の形状には飽き易くなる等の問題がある。
【０００７】
本発明は、対象者がいつまでも親しみを持って使用できると共に音楽を聴いたときなどに、自らの感情を表現でき、これにより集中力を高めて効果的に音楽療法による訓練ができるような運動機能開発用具を提供することを目的とする。
【課題を解決するための手段】
【０００８】
この目的を達成すべく第１考案は、多数の細径の棒状体を交差結着して球状に形成した球体の内方に鈴を配置し、該鈴を前記棒状体に糸又は針金により連結支持したことを特徴とし、又、第２考案は、多数の細径の棒状体を互に交差結着して球状に形成した球体の内部に多数の細径の棒状体を互に交差結着して球状に形成した小球体を１或いは複数個収容し、該小球体の内部に鈴を収容したことを特徴とする。
【考案の効果】
【０００９】
本考案によれば、精神障害者等の対象者が本考案の運動機能開発用具を使用し、音楽を聴きながら軽快な鈴の音が出る楽器として演奏することで、自らの感情を表現してコミュニケーションを図ることができ、訓練に対する関心、動機づけ、集中力なども養うことができる。
【００１０】
また、紙などの細径の棒状体によって球体を形成しているため、親しみやすく、また、安全軽量で手に馴じみやすいため、筋力の弱い対象者にも容易に取り扱うことができて、参加することによる充実感を与えることができる。
【考案を実施するための最良の形態】
【００１１】
本考案を実施するための最良の形態の実施例を以下に示す。
【実施例１】
【００１２】
図１は、本考案の運動機能開発用具の１実施例を示す正面図であり、図２は、図１に示す運動機能開発用具の内部の構造を示す断面図である。
【００１３】
１は本考案の運動機能開発用具の球体、２は細径の棒状体を示し、該棒状体２は例えば帯状の紙をよって貼着して細い棒状に形成されており、又前記球体１は該棒状体２の多数本を互に交差して貼付け等により結着して球状に形成して構成されている。
【００１４】
４は鈴を示し、該鈴４は図２に示す如く前記球体１を構成する適宜の棒状体２に糸又は針金５により３方向から連結して該球体１内の中心部に支持されている。尚、３は該球体１の表面に結着した輪ゴム等による把手を示す。
【００１５】
次に前記運動機能開発用具の製作方法を説明する。
【００１６】
膨らませた風船を用意して、該風船の表面に沿って多数の細径の棒状体２を種々の角度から巻付け、これら棒状体２の互の交差個所を貼着した後に前記風船を割って該風船を取り出すことにより球体１が得られる。
【００１７】
尚、鈴４を挿入する個所の交差個所は貼着せず、後述の如く鈴４を挿入するときには棒状体２の隙間を多少拡げ挿入後に隙間を元にもどして交差個所を貼着する。
【００１８】
その後、鈴４を相互に交差している棒状体２の隙間から球体２の内部に挿入してから該鈴４に一端が結着されている糸又は針金の他端を適当な棒状体２に結着して前記鈴４を前記球体１内の中央部に支持するようにして運動機能開発用具が完成する。
【００１９】
かくて、鈴４をこのようにして支持することにより、鈴４が棒状体２の隙間から外に抜け出るのを防止でき、また、球体１を転がしたときに鈴４が棒状体２に引っ掛って鈴音が出なくなるのを防止できる。
【００２０】
そして対象者が、音楽を聴きながら球体１を手でささえて、リズムに合わせて振ったり、回転させることで、握力や腕部の筋力を向上させることができる。
【００２１】
また、目の不自由な対象者も、振ると鈴の音が出ることから、積極的に訓練に参加することができる。更に、把手３に指を通して支持するようにして訓練を行うこともできる。
【００２２】
尚、図２に示す実施例では、鈴４の取手に糸又は針金５をつけて３方向で鈴４を連結支持する例を示すが、これに限定されるものではなく、４方向等必要に応じて支持方法を変更することができ、また、中央位置の配置に限定されるものでもない。
【００２３】
更に、鈴４は複数個の鈴で構成するものであってもよく、音量効果等を考慮して、任意に変更することが可能である。
【００２４】
図３は、本考案の運動機能開発用具の他の実施例を示す一部断面正面図である。
【００２５】
図１及び図２の実施例と同様にして棒状体２により製作した球体１の内部には、複数個の小球体６が収容されている。
【００２６】
そして該小球体６も球体１と同様の方法により棒状体２から製作されており、球体１の大きさは、内部に小球体６の複数個が収容できる程度の大きさであればよい。
【００２７】
尚、球体１は前述の風船の大きさを調整することで様々な大きさの球体を作ることが可能である。
【００２８】
前記小球体６の内部には、鈴７が収容されており、該鈴７は前記実施例の如く連結支持されておらず、小球体６の内部を自由に移動することができる。
【００２９】
尚、球体１は、小球体６が挿入できる程度の粗さで風船の表面に棒状体２を巻付けておき、その後風船を割って取出し、小球体６を挿入してから再び補足して棒状体２を巻付けるようにし、最後に棒状体２の交差個所を貼着して製作される。
【００３０】
かくて、球体１を転がす等して動かすことで、内部の小球体６は、球体１の内部を転がりながら回転し、小球体６の内部に収容されている鈴７も小球体６の内部を動き回り、軽快な鈴の音を出すことができる。
【００３１】
即ち、球体１に複数個の小球体６を収容することで、球体１の内部で各小球体６がお互いにぶつかり合い、小球体６の運動がランダムとなることから、球体１に鈴４を連結支持した前述の実施例と比較して、より多様な鈴の音を出すことが可能となる。
【００３２】
また、複数個の小球体６をそれぞれ異なる色の棒状体で製作することにより、球体１の内部で動く小球体６を見て対象者の関心を引き寄せるようにすることもできる。
【００３３】
更に、図１の実施例と同様に輪ゴム等の把手を球体１の表面に付けて使用することもできる。
【００３４】
尚、小球体６に収容する鈴７は、必要に応じて複数個であってもよい。
【００３５】
図４は、球体１の外周に赤、緑、黄などの色の和紙を貼ることで図柄８を施した実施例を示す表面図である。
【００３６】
和紙を使用してちぎり絵などによって図柄８を構成することにより、対象者に親しみを持たせ、また、内部の鈴の音をより和らいだ音にすることもできる。
【産業上の利用可能性】
【００３７】
本考案の運動機能開発用具は、各種障害者の収容施設での使用に適するほか、遊戯具としての特性も兼ね備えているため、楽しみながら各種の運動機能開発の訓練を行うことができる。また、一般的な遊戯具としても幅広く使用が可能である。
【図面の簡単な説明】
【００３８】
【図１】本考案の運動機能開発用具の１実施例の正面図である。
【図２】その内部構造を示す断面図である。
【図３】前記運動機能開発用具の他の実施例の一部断面正面図である。
【図４】前記運動機能開発用具の外周に図柄を施した正面図である。
【符号の説明】
【００３９】
１      球体
２      棒状体
３      把手
４、７  鈴
５      糸又は針金
６      小球体
８      図柄
【図１】
0003118438.tif 000003
【図２】
0003118438.tif 000004
【図３】
0003118438.tif 000005
【図４】
0003118438.tif 000006